(57)【要約】【課題】本考案は、金魚や海老や熱帯魚等の生き物を飼うインテリア性の高い水槽の良さを損なわせない水槽用濾過装置を提供する。【解決手段】本考案に係る水槽用濾過装置は、水槽２内の水の吸引管６を通した吸引水を濾過後に水槽２内へ戻すようになっている外装体５を有する水槽用濾過装置において、前記外装体５を任意の色に着色して、水槽用濾過装置自身を好ましい色にて楽しめるようにしたこと、また、前記外装体５の着色を、前記水槽の色又は水槽内の生き物の色にコーディネイトした色に着色し、水槽とともに、よりインテリア性を高め得るように構成した。【選択図】図１
0003192174.tif 000002
【実用新案登録請求の範囲】
【請求項１】
水槽内の水の吸引管を通した吸引水を濾過後に水槽内へ戻すようになっている外装体を有する水槽用濾過装置において、前記外装体を任意の色に着色したことを特徴とする水槽用濾過装置。
【請求項２】
水槽内の水の吸引管を通した吸引水を濾過後に水槽内へ戻すようになっている外装体を有する水槽用濾過装置において、前記外装体を前記水槽の色又は水槽内の生き物の色にコーディネイトした色に着色したことを特徴とする水槽用濾過装置。
【考案の詳細な説明】
【技術分野】
【０００１】
本考案は、金魚や海老や熱帯魚等の生き物を飼うインテリア性の高い水槽の良さを損なわせない水槽用濾過装置に関するものである。
【背景技術】
【０００２】
最近、育てている金魚や海老や熱帯魚等の生き物の動きなどを楽しみつつ室内の装飾にもなるインテリア性の高い水槽が喜ばれている。該水槽内の水は金魚や海老や熱帯魚等の生き物に与える餌の滓や排出物により汚れることから、この汚れを除去する濾過装置が必要となる。この濾過装置には水槽の縁に掛ける外掛けタイプや水槽の上に載置するタイプや水槽の置き台に収納するタイプなど種々ある。これらのうち、外掛けタイプには、例えば、特開平６−７０６６０号公報により開示されている。
【特許文献１】特開平６−７０６６０号公報
【考案の開示】
【考案が解決しようとする課題】
【０００３】
しかしながら、特許文献１に記載の水槽用濾過装置は、主に、濾材の取替性など機能重視のもので、外観上は掲載公報からでは明確でないが、多くのものは無機質で飾り気のないものであった。したがって、室内の装飾を考えて水槽をインテリア性の高いデザインとしても水槽の縁に掛ける外掛けタイプの水槽用濾過装置の存在自体がマイナス要素になっていた。
【０００４】
本考案は、上記問題を解消するためのもので、その目的とするところは、金魚や海老や熱帯魚等の生き物を飼うインテリア性の高い水槽の良さを損なわせない水槽用濾過装置を提供することにある。
【課題を解決するための手段】
【０００５】
上記目的を達成するため、本考案に係る水槽用濾過装置は、水槽内の水の吸引管を通した吸引水を濾過後に水槽内へ戻すようになっている外装体を有する水槽用濾過装置において、前記外装体を任意の色に着色したことを特徴とし、水槽用濾過装置自身を好ましい色に着色して楽しめるように構成した。
【０００６】
また、請求項２に係る水槽用濾過装置は、水槽内の水の吸引管を通した吸引水を濾過後に水槽内へ戻すようになっている外装体を有する水槽用濾過装置において、前記外装体を前記水槽の色又は水槽内の生き物の色にコーディネイトした色に着色したことを特徴とし、水槽自体や水槽内で飼われている生き物等の色に合わせてインテリア性をより高め得るように構成した。
【考案の効果】
【０００７】
本考案に係る水槽用濾過装置によれば、外装体を任意の色に着色し、応接室等に水槽とともに美麗に飾ることができる。特に、外装体の水槽の色、水槽内で泳ぐ金魚、海老、熱帯魚等の生き物の色などにコーディネイトした色に着色されているときは一層美麗になるばかたでなく、水槽や水槽内で飼われている生き物に対するインテリア性を損なわせないという優れた効果を奏するものである。
【考案を実施するための最良の形態】
【０００８】
次に、本考案の実施するための最良の形態を図面に基づいて説明する。図１は本願水槽用濾過装置の設置状態を示す斜視図、図２は水槽用濾過装置の原理を示す説明図、図３は水槽用濾過装置を水槽の枠の色と同色に着色した正面図、図４は水槽用濾過装置を水槽内の金魚の色と同色に着色した正面図である。
【０００９】
図１において、１は本願濾過装置本体で、該本願濾過装置本体１は水槽２の縁３に引っ掛ける鉤部４を有する外装体５を備えている。該外装体５内には、水槽２内の水を底部から吸引する吸引管６を介して吸引作動するポンプ室７、吸引水を濾過する濾過室８を内装する。前記ポンプ室７内のポンプ（図示せず）は、外装体５から引出したプラグ９を家庭用電源に接続させて使用される。
【００１０】
前記ポンプ室７のポンプの作動により吸引管６を通して水槽２内から吸引された水が本願濾過装置本体１に吸引されると、該水は、図２の如く、濾過室８内の複数個（２個には限らない）のフィルター８ａ、８ａを通して浄化され、外装体５に備えた循環路１０を経て水槽２内に戻される。
【００１１】
前記本願濾過装置本体１の外装体５は、その外表面が任意の色に着色されている。たとえば、青色（水平の縞に表示）に着色されている。ここに青色に着色したのは、水槽２の底面２ａがたまたま青色であったので、この底面２ａにコーディネイト（色合いの調整）させたためである。すなわち、水槽２の底面の色を青色に着色するか、青色系の砂利若しくは砂を敷くと水槽２内の水が青く澄んで見える効果があるので、これにコーディネイトさせたためである。なお、図１では吸引管６も着色しているが、吸引管自体は取り外し可能であるので着色しない場合もある。
【００１２】
前記着色は、青色塗料による着色でもよいが、たとえば、外装体５が透明プラスチック素材で構成されているときは、その素材中に着色料を混入させて着色透明にしたものであってもよい。また、着色は、常に、単一色のみに限らない。勿論、水槽の色（水の色やガラスの色も含む）にコーディネイトさせることもある。
【００１３】
前記本願濾過装置本体１の外装体５は、図３の如く、その枠材２ａが緑色（右下がり縞で表示）に着色されていることから、これにコーディネイトさせるため、緑色に着色させている。勿論、コーディネイトは色合いの調整であるから、枠材２ａの緑に対して薄い緑でも、濃い緑でもよいし、また、他の色、たとえば黄色などを混ぜて混合させた緑でもよい。
【００１４】
前記本願濾過装置本体１の外装体５は、図４の如く、その外表面が赤色（縦縞で表示）に着色されている。該赤色の着色は水槽２内で飼っている金魚１１の肌が赤色（縦縞で表示）であり、これにコーディネイトさせたためである。勿論、赤系であればピンク色でもダイダイ色でもよい。
【産業上の利用可能性】
【００１５】
本考案の水槽用濾過装置は、外装体を任意の色に着色したものであるが、応接室等に飾る水槽に使用して水槽の美麗さを損なわせない。特に、水槽の色、水槽内で泳ぐ金魚、海老、熱帯魚等の生き物の色などにコーディネイトした色に着色されていると一層引き立たてることが可能となる。これは家庭用としては勿論のこと、人の集まる駅や会社、事務所その他の場所などでも広く利用できるものである。なお、本願は、外掛けタイプのものに限らず、水槽の上に載置するタイプのものや水槽の置き台に収納するタイプなどにも応用できることは勿論である
【図面の簡単な説明】
【００１６】
【図１】本願水槽用濾過装置の設置状態を示す斜視図である。
【図２】本願水槽用濾過装置の原理を示す説明図である。
【図３】本願水槽用濾過装置を水槽の枠の色と同色に着色した正面図である。
【図４】本願水槽用濾過装置を水槽内の金魚の色と同色に着色した正面図である。
【符号の説明】
【００１７】
１  本願水槽用濾過装置
２  水槽
２ａ  水槽の底面
２ｂ  水槽の枠材
３  縁
４  鉤部
５  外装体
６  吸引管
７  ポンプ室
８  濾過室
９  プラグ
１０  循環路
１１  金魚
【図１】
0003192174.tif 000003
【図２】
0003192174.tif 000004
【図３】
0003192174.tif 000005
【図４】
0003192174.tif 000006